【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
無線通信システムにおける端末（ｕｓｅｒ  ｅｑｕｉｐｍｅｎｔ：ＵＥ）の動作方法であって、
基地局からＣＳＩ（ｃｈａｎｎｅｌ  ｓｔａｔｅ  ｉｎｆｏｒｍａｔｉｏｎ）報告に関する構成情報（ｃｏｎｆｉｇｕｒａｔｉｏｎ  ｉｎｆｏｒｍａｔｉｏｎ）を受信するステップと、
ビーム選択情報に基づいて、前記基地局の第１送信ビームと前記基地局の第２送信ビームとを識別するステップと、
前記構成情報に基づいて報告情報を前記基地局に送信するステップと、を有し、
前記構成情報は、前記端末によって同時に受信可能な少なくとも２つの信号のビームを報告するように、前記端末を構成するための前記ビーム選択情報を含み、
前記報告情報は、前記第１送信ビームに関連付けられた第１情報及び前記第２送信ビームに関連付けられた第２情報を含み、
前記第１送信ビームの第１信号及び前記第２送信ビームの第２信号は、前記端末の少なくとも１つの受信ビームを用いて受信されることを特徴とする方法。
【請求項２】
前記端末の少なくとも１つの受信ビームは、前記端末の１つのパネル（ｐａｎｅｌ）の受信ビームを含み、
前記第１送信ビームの第１信号及び前記第２送信ビームの第２信号は、前記１つのパネルの受信ビームを用いて同時に受信されることを特徴とする請求項１に記載の方法。
【請求項３】
前記端末の少なくとも１つの受信ビームは、前記端末のマルチパネル（ｐａｎｅｌｓ）の受信ビームを含み、
前記第１送信ビームの第１信号及び前記第２送信ビームの第２信号は、前記マルチパネルの受信ビームを用いて同時に受信されることを特徴とする請求項１に記載の方法。
【請求項４】
前記第１送信ビームに基づく基準チャネル品質を示す基準ＲＳＲＰ（ｒｅｆｅｒｅｎｃｅ  ｓｉｇｎａｌ  ｒｅｃｅｉｖｅｄ  ｐｏｗｅｒ）値、及び前記第２送信ビームに基づくチャネル品質と前記基準チャネル品質との差を示す差動（ｄｉｆｆｅｒｅｎｔｉａｌ）ＲＳＲＰ値を含む情報を、前記ビーム選択情報に基づいて前記基地局に送信するステップを更に含むことを特徴とする請求項１に記載の方法。
【請求項５】
前記第１送信ビームは、前記基地局の複数の送信ビームの中から識別され、
前記ＲＳＲＰ値は、前記複数の送信ビームに対する複数のＲＳＲＰ値の中の最大値であることを特徴とする請求項４に記載の方法。
【請求項６】
前記第１送信ビームの第１信号及び前記第２送信ビームの第２信号は、前記端末の少なくとも１つの受信ビームに基づいて同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信され、
前記構成情報は、送信ビームを示すリソース及びＲＳＲＰ（ｒｅｆｅｒｅｎｃｅ  ｓｉｇｎａｌ  ｒｅｃｅｉｖｅｄ  ｐｏｗｅｒ）値を含むチャネル状態情報を送信するように前記端末を構成するための情報を含み、
前記構成情報は、ＲＲＣ（ｒａｄｉｏ  ｒｅｓｏｕｒｃｅ  ｃｏｎｔｒｏｌ）によって伝送されることを特徴とする請求項１に記載の方法。
【請求項７】
前記端末が２つの基準信号に対するＲＳＲＰ（ｒｅｆｅｒｅｎｃｅ  ｓｉｇｎａｌ  ｒｅｃｅｉｖｅｄ  ｐｏｗｅｒ）報告をサポートするか否かを示す能力情報（ｃａｐａｂｉｌｉｔｙ  ｉｎｆｏｒｍａｔｉｏｎ）を前記基地局に伝送するステップを更に含むことを特徴とする請求項１に記載の方法。
【請求項８】
無線通信システムにおける基地局（ｂａｓｅ  ｓｔａｔｉｏｎ：ＢＳ）の動作方法であって、
端末（ｕｓｅｒ  ｅｑｕｉｐｍｅｎｔ：ＵＥ）にＣＳＩ（ｃｈａｎｎｅｌ  ｓｔａｔｅ  ｉｎｆｏｒｍａｔｉｏｎ）報告に関する構成情報を送信するステップと、
前記端末から前記構成情報に基づく報告情報を受信するステップと、を有し、
前記構成情報は、前記端末によって同時に受信可能な少なくとも２つの信号のビームを報告するように、前記端末を構成するためのビーム選択情報を含み、
前記報告情報は、第１送信ビームに関連付けられた第１情報及び第２送信ビームに関連付けられた第２情報を含み、
前記第１送信ビーム及び前記第２送信ビームは、前記ビーム選択情報に基づいて識別され、
前記第１送信ビームの第１信号及び前記第２送信ビームの第２信号は、前記端末の少なくとも１つの受信ビームを用いて受信されることを特徴とする方法。
【請求項９】
前記端末の少なくとも１つの受信ビームは、前記端末の１つのパネル（ｐａｎｅｌ）の受信ビームを含み、
前記第１送信ビームの第１信号及び前記第２送信ビームの第２信号は、前記１つのパネルの受信ビームを用いて同時に受信されることを特徴とする請求項８に記載の方法。
【請求項１０】
前記端末の少なくとも１つの受信ビームは、前記端末のマルチパネル（ｐａｎｅｌｓ）の受信ビームを含み、
前記第１送信ビームの第１信号及び前記第２送信ビームの第２信号は、前記マルチパネルの受信ビームを用いて同時に受信されることを特徴とする請求項８に記載の方法。
【請求項１１】
前記第１送信ビームに基づく基準チャネル品質を示す基準ＲＳＲＰ（ｒｅｆｅｒｅｎｃｅ  ｓｉｇｎａｌ  ｒｅｃｅｉｖｅｄ  ｐｏｗｅｒ）値、及び前記第２送信ビームに基づくチャネル品質と前記基準チャネル品質との差を示す差動（ｄｉｆｆｅｒｅｎｔｉａｌ）ＲＳＲＰ値を含む情報を、前記ビーム選択情報に基づいて前記端末から受信するステップを更に含むことを特徴とする請求項８に記載の方法。
【請求項１２】
前記第１送信ビームは、前記基地局の複数の送信ビームの中から識別され、
前記ＲＳＲＰ値は、前記複数の送信ビームに対する複数のＲＳＲＰ値の中の最大値であることを特徴とする請求項１１に記載の方法。
【請求項１３】
前記第１送信ビームの第１信号及び前記第２送信ビームの第２信号は、前記端末の少なくとも１つの受信ビームに基づいて同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信され、
前記構成情報は、送信ビームを示すリソース及びＲＳＲＰ（ｒｅｆｅｒｅｎｃｅ  ｓｉｇｎａｌ  ｒｅｃｅｉｖｅｄ  ｐｏｗｅｒ）値を含むチャネル状態情報を送信するように前記端末を構成するための情報を含み、
前記構成情報は、ＲＲＣ（ｒａｄｉｏ  ｒｅｓｏｕｒｃｅ  ｃｏｎｔｒｏｌ）によって伝送されることを特徴とする請求項８に記載の方法。
【請求項１４】
前記端末が２つの基準信号に対するＲＳＲＰ（ｒｅｆｅｒｅｎｃｅ  ｓｉｇｎａｌ  ｒｅｃｅｉｖｅｄ  ｐｏｗｅｒ）報告をサポートするか否かを示す能力情報（ｃａｐａｂｉｌｉｔｙ ｉｎｆｏｒｍａｔｉｏｎ）を前記端末から受信するステップを更に含むことを特徴とする請求項８に記載の方法。
【請求項１５】
無線通信システムにおける端末（ｕｓｅｒ  ｅｑｕｉｐｍｅｎｔ：ＵＥ）の装置であって、
少なくとも１つの送受信機と、
前記少なくとも１つの送受信機に接続された少なくとも１つのプロセッサと、を備え、
前記少なくとも１つのプロセッサは、
基地局からＣＳＩ（ｃｈａｎｎｅｌ  ｓｔａｔｅ  ｉｎｆｏｒｍａｔｉｏｎ）報告に関する構成情報（ｃｏｎｆｉｇｕｒａｔｉｏｎ  ｉｎｆｏｒｍａｔｉｏｎ）を受信し、
ビーム選択情報に基づいて、前記基地局の第１送信ビームと前記基地局の第２送信ビームとを識別し、
前記構成情報に基づいて報告情報を前記基地局に送信するように構成され、
前記構成情報は、前記端末によって同時に受信可能な少なくとも２つの信号のビームを報告するように、前記端末を構成するための前記ビーム選択情報を含み、
前記報告情報は、前記第１送信ビームに関連付けられた第１情報及び第２送信ビームに関連付けられた第２情報を含み、
前記第１送信ビームの第１信号及び前記第２送信ビームの第２信号は、前記端末の少なくとも１つの受信ビームを用いて受信されることを特徴とする装置。
【請求項１６】
前記端末の少なくとも１つの受信ビームは、前記端末の１つのパネル（ｐａｎｅｌ）の受信ビームを含み、
前記第１送信ビームの第１信号及び前記第２送信ビームの第２信号は、前記１つのパネルの受信ビームを用いて同時に受信されることを特徴とする請求項１５に記載の装置。
【請求項１７】
前記端末の少なくとも１つの受信ビームは、前記端末のマルチパネル（ｐａｎｅｌｓ）の受信ビームを含み、
前記第１送信ビームの第１信号及び前記第２送信ビームの第２信号は、前記マルチパネルの受信ビームを用いて同時に受信されることを特徴とする請求項１５に記載の装置。
【請求項１８】
前記少なくとも１つのプロセッサは、
前記第１送信ビームに基づく基準チャネル品質を示す基準ＲＳＲＰ（ｒｅｆｅｒｅｎｃｅ  ｓｉｇｎａｌ  ｒｅｃｅｉｖｅｄ  ｐｏｗｅｒ）値、及び前記第２送信ビームに基づくチャネル品質と前記基準チャネル品質との差を示す差動（ｄｉｆｆｅｒｅｎｔｉａｌ）ＲＳＲＰ値を含む情報を、前記ビーム選択情報に基づいて前記基地局に送信するように更に構成されることを特徴とする請求項１５に記載の装置。
【請求項１９】
前記第１送信ビームは、前記基地局の複数の送信ビームの中から識別され、
前記ＲＳＲＰ値は、前記複数の送信ビームに対する複数のＲＳＲＰ値の中の最大値であることを特徴とする請求項１８に記載の装置。
【請求項２０】
前記第１送信ビームの第１信号及び前記第２送信ビームの第２信号は、前記端末の少なくとも１つの受信ビームに基づいて同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信され、
前記構成情報は、送信ビームを示すリソース及びＲＳＲＰ（ｒｅｆｅｒｅｎｃｅ  ｓｉｇｎａｌ  ｒｅｃｅｉｖｅｄ  ｐｏｗｅｒ）値を含むチャネル状態情報を送信するように前記端末を構成するための情報を含み、
前記構成情報は、ＲＲＣ（ｒａｄｉｏ  ｒｅｓｏｕｒｃｅ  ｃｏｎｔｒｏｌ）によって伝送されることを特徴とする請求項１５に記載の装置。
【請求項２１】
前記少なくとも１つのプロセッサは、
前記端末が２つの基準信号に対するＲＳＲＰ（ｒｅｆｅｒｅｎｃｅ  ｓｉｇｎａｌ  ｒｅｃｅｉｖｅｄ  ｐｏｗｅｒ）報告をサポートするか否かを示す能力情報（ｃａｐａｂｉｌｉｔｙ  ｉｎｆｏｒｍａｔｉｏｎ）を前記基地局に伝送するように更に構成されることを特徴とする請求項１５に記載の装置。
【請求項２２】
無線通信システムにおける基地局（ｂａｓｅ  ｓｔａｔｉｏｎ：ＢＳ）の動作装置であって、
少なくとも１つの送受信機と、
前記少なくとも１つの送受信機に接続された少なくとも１つのプロセッサと、を備え、
前記少なくとも１つのプロセッサは、
端末（ｕｓｅｒ  ｅｑｕｉｐｍｅｎｔ：ＵＥ）にＣＳＩ（ｃｈａｎｎｅｌ  ｓｔａｔｅ  ｉｎｆｏｒｍａｔｉｏｎ）報告に関する構成情報を送信し、
前記端末から前記構成情報に基づく報告情報を受信するように構成され、
前記構成情報は、前記端末によって同時に受信可能な少なくとも２つの信号のビームを報告するように、前記端末を構成するためのビーム選択情報を含み、
前記報告情報は、第１送信ビームに関連付けられた第１情報及び第２送信ビームに関連付けられた第２情報を含み、
前記第１送信ビーム及び前記第２送信ビームは、前記ビーム選択情報に基づいて識別され、
前記第１送信ビームの第１信号及び前記第２送信ビームの第２信号は、前記端末の少なくとも１つの受信ビームを用いて受信されることを特徴とする装置。
【請求項２３】
前記端末の少なくとも１つの受信ビームは、前記端末の１つのパネル（ｐａｎｅｌ）の受信ビームを含み、
前記第１送信ビームの第１信号及び前記第２送信ビームの第２信号は、前記１つのパネルの受信ビームを用いて同時に受信されることを特徴とする請求項２２に記載の装置。
【請求項２４】
前記端末の少なくとも１つの受信ビームは、前記端末のマルチパネル（ｐａｎｅｌｓ）の受信ビームを含み、
前記第１送信ビームの第１信号及び前記第２送信ビームの第２信号は、前記マルチパネルの受信ビームを用いて同時に受信されることを特徴とする請求項２２に記載の装置。
【請求項２５】
前記少なくとも１つのプロセッサは、
前記第１送信ビームに基づく基準チャネル品質を示す基準ＲＳＲＰ（ｒｅｆｅｒｅｎｃｅ  ｓｉｇｎａｌ  ｒｅｃｅｉｖｅｄ  ｐｏｗｅｒ）値、及び前記第２送信ビームに基づくチャネル品質と前記基準チャネル品質との差を示す差動（ｄｉｆｆｅｒｅｎｔｉａｌ）ＲＳＲＰ値を含む情報を、前記ビーム選択情報に基づいて前記端末から受信するように更に構成されることを特徴とする請求項２２に記載の装置。
【請求項２６】
前記第１送信ビームは、前記基地局の複数の送信ビームの中から識別され、
前記ＲＳＲＰ値は、前記複数の送信ビームに対する複数のＲＳＲＰ値の中の最大値であることを特徴とする請求項２５に記載の装置。
【請求項２７】
前記第１送信ビームの第１信号及び前記第２送信ビームの第２信号は、前記端末の少なくとも１つの受信ビームに基づいて同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信され、
前記構成情報は、送信ビームを示すリソース及びＲＳＲＰ（ｒｅｆｅｒｅｎｃｅ  ｓｉｇｎａｌ  ｒｅｃｅｉｖｅｄ  ｐｏｗｅｒ）値を含むチャネル状態情報を送信するように前記端末を構成するための情報を含み、
前記構成情報は、ＲＲＣ（ｒａｄｉｏ  ｒｅｓｏｕｒｃｅ  ｃｏｎｔｒｏｌ）によって伝送されることを特徴とする請求項２２に記載の装置。
【請求項２８】
前記少なくとも１つのプロセッサは、
前記端末が２つの基準信号に対するＲＳＲＰ（ｒｅｆｅｒｅｎｃｅ  ｓｉｇｎａｌ  ｒｅｃｅｉｖｅｄ  ｐｏｗｅｒ）報告をサポートするか否かを示す能力情報（ｃａｐａｂｉｌｉｔｙ  ｉｎｆｏｒｍａｔｉｏｎ）を前記端末から受信するように更に構成されることを特徴とする請求項２２に記載の装置。